(57)【要約】【課題】被写体識別情報および被写体の画像を記録するシートの識別情報を対応づけて登録する登録機能と、シートから読み取った画像を表示する画像表示機能を有する画像表示装置における作業効率を向上させる。【解決手段】画像表示装置３の表示部３１を、被写体識別情報およびシート識別情報を対応付けて登録するための登録操作画面４２と、シートから画像を読取って画像データを取得する画像読取装置１０から受け取った画像を表示する画像画面４１とを同時に並列的に表示可能なものとし、画像画面４１に画像を表示させると同時に、ユーザが登録操作画面４２から識別情報の登録を行うことができるようにする。【選択図】　　　　　図４
2004110516.tif 000002
【特許請求の範囲】
【請求項１】
被写体の画像を記録するシートを特定するシート識別情報および前記被写体を特定する被写体識別情報を対応づけて登録する登録機能と、画像が記録された前記シートから画像データを取得する画像読取装置から該画像データを受け取り、該画像データが担持する画像を表示する画像表示機能とを有する画像表示装置であって、
前記識別情報を登録するための登録操作画面と、前記画像を表示する画像画面とを同時に並列的に表示可能な表示手段を備えたことを特徴とする画像表示装置。
【請求項２】
前記表示手段が、複数の画像を前記画像画面上にタイリング表示するものであることを特徴とする請求項１記載の画像表示装置。
【請求項３】
前記表示手段が、前記画像と共に、該画像の被写体の被写体識別情報および該画像を担持する前記画像データが読み取られた読取時刻を含む付加情報を前記画像画面上に表示するものであることを特徴とする請求項１または２記載の画像表示装置。
【請求項４】
前記表示手段が、所定画像の調整を行うための画像調整操作画面を表示可能なものであることを特徴とする１から３いずれか１項記載の画像表示装置。
【発明の詳細な説明】
【０００１】
【発明の属する技術分野】
本発明は、画像表示装置に関し、詳細には、シート識別情報および被写体識別情報を対応づけて登録する登録機能と、シートから読み取って得られた画像データが担持する画像を表示する画像表示機能を備えた画像表示装置に関するものである。
【０００２】
【従来の技術】
放射線（Ｘ線、α線、β線、γ線、電子線、紫外線等）を照射すると、この放射線エネルギーの一部が蓄積され、その後可視光等の励起光を照射すると蓄積されたエネルギーに応じて輝尽発光を示す蓄積性蛍光体（輝尽性蛍光体）を利用して、人体等の被写体の放射線画像情報を蓄積性蛍光体層を備えてなる蓄積性蛍光体シートに一旦記録し、この蓄積性蛍光体シートにレーザ光等の励起光を走査して輝尽発光光を生じせしめ、得られた輝尽発光光を光電的に読み取って画像信号を得、この画像信号に基づき写真感光材料等の記録媒体、ＣＲＴ等の表示装置に被写体の放射線画像を可視像として出力させる放射線画像記録再生システムが知られている（例えば、特許文献１〜３参照）。
【０００３】
上記のような放射線画像記録再生システムにおいては、放射線画像を蓄積性蛍光体シートに蓄積記録させるための撮影装置と、放射線画像が蓄積記録された蓄積性蛍光体シートから画像を読み取って画像データを取得する画像読取装置とが別筐体に構成されている場合もある。
【０００４】
さて、大、中規模の病院においては、複数の撮影室があり各撮影室毎に放射線画像を撮影する撮影装置を備えていることも少なくない。しかしながら、複数台の撮影装置を備えている場合でも、患者の放射線画像を記録したシートから画像を読み取って画像データを取得する読取装置は、高価であるために撮影装置の台数よりも少ないのが一般的である。そのため、各撮影室（各撮影装置）において撮影が完了したシートを最寄の読取装置へ持っていき、読取装置による画像データの読取りを行い、該読取装置に付属のモニタあるいは集中管理的なモニタに読み取った画像データの可視画像を表示して、画像の状態を確認するという手順が行われている。すなわち、従来は、複数の撮影装置で撮影された画像の確認を１台のモニタで行っている。
【０００５】
このように１台のモニタで複数の撮影装置で撮影された画像の確認を行うと、複数の撮影装置（撮影室）で撮影された画像が１台のモニタ上に混在する状態となり、どの画像がどの撮影室で撮影されたものか混乱し、さらに、撮影室毎に撮影技師が異なる場合には、どの撮影技師が責任を持つべき画像であるかが混乱する場合が生じかねないため、本出願人は、読取装置で読み取られた画像データが、その画像データが読取られたシートへの撮影記録を行った撮影室に備えつけられている識別情報登録端末に自動的に配送されるようにした画像データ配送システムを提案している（例えば、特許文献４参照）。
【０００６】
特許文献４に記載されている放射線画像記録再生システムにおける撮影処理の流れは、撮影技師が患者識別情報の登録および撮影に用いられるシートの識別情報を登録端末で登録する、撮影装置において撮影を行いシートに被写体の画像を記録する、技師がシートを読取装置へ装填する、読取装置においてシートの画像を読み取り画像データを取得する、読取装置が所定の端末へ画像データを配送する、画像データを受け取った端末のモニタに表示された画像を技師が確認する、というものである。
【０００７】
【特許文献１】
特開昭５５−１２４２９号公報
【０００８】
【特許文献２】
特開昭５６−１１３９５号公報
【０００９】
【特許文献３】
特開昭５６−１１３９７号公報
【００１０】
【特許文献４】
特開２００２−１５８８２０号公報
【００１１】
【発明が解決しようとする課題】
上述の撮影処理の一連の流れにおいて、技師が読取装置にシートをセットをした後、画像確認可能となるまでの間には所定時間を要する。ユーザである技師としては、この読取待ちの時間を有効に利用したく、同時に患者の撮影待ち時間を低減させるようにしたいという要望がある。
【００１２】
しかしながら、従来の装置においては、モニタに画像確認用の画像画面を表示している間は、次の患者識別情報の登録等の作業を行うことができず、一方、次の患者の患者識別情報等の登録の作業を始めてしまうと、その処理が完了するまで画像の確認ができなかった。そのため、作業の遅延、一時中断等を引き起こす状況にあった。
【００１３】
この問題を解決する方法として、登録専用装置と、画像確認専用装置を備えることが考えられるが、２台の装置を備えるのは、コスト高になり、また設置スペースが倍になるという問題がある。
【００１４】
本発明は、上記事情に鑑みてなされたものであって、作業効率を向上させることができる画像表示装置を提供することを目的とする。
【００１５】
【課題を解決するための手段】
本発明の画像表示装置は、被写体の画像を記録するシートを特定するシート識別情報および前記被写体を特定する被写体識別情報を対応づけて登録する登録機能と、画像が記録された前記シートから画像データを取得する画像読取装置から該画像データを受け取り、該画像データが担持する画像を表示する画像表示機能とを有する画像表示装置であって、
前記識別情報を登録するための登録操作画面と、前記画像を表示する画像画面とを同時に並列的に表示可能な表示手段を備えたことを特徴とするものである。
【００１６】
すなわち、本発明の画像表示装置は、登録操作画面と画像画面とを同時に並列的に表示可能な表示手段を備えて、登録作業と、画像確認作業を平行して実施可能としたことを特徴とするものである。
【００１７】
ここで、「シート識別情報」とは、シートを特定することができる情報であればよく、例えばシート番号、シートに付されているバーコード等が挙げられる。また、「被写体識別情報」とは、被写体である患者のＩＤ番号、氏名、性別、生年月日等の患者を特定することができる情報であればよく、１つでもよいし複数でもよい。なお、「同時に並列的に表示」とは、登録操作画面と画像画面が一部で重なって表示することを排除するものではない、しかしながら、両画面が重なることなく表示されるものであることがより望ましい。
【００１８】
前記表示手段が、複数の画像を前記画像画面上にタイリング表示するものであることが好ましい。
【００１９】
タイリング数は適宜定めばよい。例えばタイリング数が４つであれば、画像画面を４コマに分割して４つの画像を表示することができ、前記画像読取装置から順次複数の画像データが送信されてきた場合、受け取った画像データを順次表示し、常に最新の４つの画像を表示するようにすればよい。なお、タイリング数より多い画像データが順次送信されてくる場合、常に最新の４つの画像を表示するとともに、画面上にスクロールキーを表示して、例えば過去１２画像程度まで遡れるようにすればよい。
【００２０】
タイリング数のみならずタイリング方法も適宜定めればよく、例えば、画像画面を４等分し、さらにそのうちの１つを４等分して計７コマの画像を表示するようにしてもよい。
【００２１】
前記表示手段は、前記画像と共に、該画像の被写体の被写体識別情報および該画像を担持する前記画像データが読み取られた読取時刻を含む付加情報を前記画像画面上に表示するものであることが望ましい。
【００２２】
前記付加情報としては、被写体識別情報、読取時刻のほか、撮影室番号、撮影部位、Ｘ線源出力等の撮影条件などが挙げられる。
【００２３】
また、前記表示手段が、所定画像の調整を行うための画像調整操作画面を表示可能なものであることが望ましい。具体的には、画像画面上に複数の画像が表示されている場合にはその中の所望の１つを、１つの画像のみが表示されている場合には該画像を、例えばマウスのポインタで指定してクリックすることにより、該指定された画像の画像調整を行うための画像調整操作画面を表示すればよい。画像調整画面は、画像画面表示領域に表示させてもよいし、登録画面が表示されている領域に、該登録画面に置き換えて、もしくはオーバーレイで表示させてもよい。
【００２４】
【発明の効果】
本発明の画像表示装置は、登録操作画面と画像画面とを同時に並列的に表示可能な表示手段を備えて、登録作業と、画像確認作業を平行して実施可能であるため、ユーザの作業効率を向上させることができる。
【００２５】
表示手段が、複数の画像を前記画像画面上にタイリング表示するものであれば、複数の画像についての画像確認を同時に可能となり、作業効率の向上を図ることができる。
【００２６】
表示手段が、画像と共に、被写体識別情報および読取時刻を含む付加情報を画像画面上に表示するものであれば、ユーザが画像を確認する際の補助情報となり、利便性が向上する。特に、読取時刻は、ユーザが読取装置にシートを装填して読み取らせたはずの画像が画像表示装置に送信されていない等の事象についての確認情報として有効である。
【００２７】
表示手段が、所定画像の調整を行うための画像調整操作画面を表示可能なものであれば、ユーザが表示されている画像画面上に気になる画像を認めた場合に、その場で画像調整を行うことができ、作業効率の向上に繋がる。
【００２８】
【発明の実施の形態】
以下、図面を参照して本発明の具体的な実施の形態について説明する。図１は、病院構内において使用される、放射線画像を蓄積性蛍光体シートに記録し、該シートを励起光で走査し、該走査によって上記シートから発される輝尽発光光を光電変換により読み取って画像信号（画像データ）を得るＣＲ（Ｃｏｍｐｕｔｅｄ　Ｒａｄｉｏｇｒａｐｈｙ）システムの配置図、図２は読取装置から本発明の画像表示装置への画像データ配送方法の１例を説明するための図、図３はＣＲシステムに用いられる、本発明の第１の実施形態の画像表示装置の概略構成を示す図である。
【００２９】
図１に示すように、例えば病院構内２０には廊下２１に面して配された４つの撮影室１Ａ〜１Ｄがあり、各撮影室１Ａ〜１Ｄ毎に撮影装置２Ａ〜２Ｄが備えられている。各撮影装置２Ａ〜２Ｄは、被写体ここでは患者の所定の部位の放射線画像を蓄積性蛍光体シートに蓄積記録せしめる装置である。また、各撮影室１Ａ〜１Ｄ毎に各蓄積性蛍光体シートに付されている各シートの識別情報となるバーコードと、患者識別情報とを関連付けて登録する登録機能と、後述の放射線画像読取装置１０から該画像データを受け取り、該画像データが担持する画像を表示する画像表示機能とを有する画像表示装置３Ａ〜３Ｄが設置されている。一方、撮影室１Ａ〜１Ｄの廊下２１とは反対側の外側には１台の放射線画像読取装置１０が設置されている。この放射線画像読取装置１０は、各撮影装置２Ａ〜２Ｄにおいて放射線画像の撮影がなされた蓄積性蛍光体シートが装填されて、該シートを励起光で走査し、該走査によってシートから発される輝尽発光光を光電変換により読み取って画像データを得るものである。このように、撮影装置２Ａ〜２Ｄ、画像表示装置３Ａ〜３Ｄおよび画像読取装置１０によりＣＲシステムが構成されている。
【００３０】
図１に示すＣＲシステムにおいて、図２に示すように、各撮影室毎１Ａ〜１Ｄに配置された画像表示装置３Ａ〜３Ｄはネットワーク１５を介して放射線画像読取装置１０と接続されている。なお、ネットワーク１５上にはさらに図示しない画像処理装置や画像出力装置が配されており、放射線画像読取装置１０において得られた画像データが、該放射線画像読取装置１０から直接もしくは画像表示装置３を介して適宜画像処理装置や画像出力装置に配送される。
【００３１】
本発明の第１の実施形態の画像表示装置３Ａ〜３Ｄの要部構成のブロック図を図３に示す。画像表示装置３（３Ａ〜３Ｄ）は、登録操作画面や画像画面等の画面を表示するＣＲＴ、液晶モニタ等の表示部３１、キーボード、マウス、バーコードリーダおよび操作画面を含むユーザが情報入力を行うための入力部３２、後述の処理部３３、放射線画像読取装置１０との間でデータの送受信を行うためのデータ送受信部３４を備えてなる。
【００３２】
処理部３３は、登録操作画面に従ってユーザが入力部３２から入力する後述の識別情報等を登録する登録処理手段３５、該識別情報等を記憶する登録情報記憶部３６、放射線画像読取装置１０から送信される放射線画像の画像データを記憶する放射線画像記憶部３７、登録操作画面と放射線画像画面とを選択的に、もしくは同時に表示部３１上に表示させる表示画面制御手段３８、および登録操作画面と放射線画像画面を同時に表示部３１に表示させるために両画面を合成する画像合成手段３９を備えている。なお、処理部３３は、他の種々の処理を行う手段を備えるものであるが、ここでは、本発明に関する手段についてのみ説明し、他の処理手段についての詳細な説明を省略する。
【００３３】
次に、１患者についてのＣＲシステムにおける撮影処理の流れを説明する。
【００３４】
患者は図１中の矢印に沿って指定された撮影室に入室する。一方、撮影技師は被写体となる患者識別情報Ｋと該患者の放射線画像を撮影する蓄積性蛍光体シートの識別情報Ｉとを画像表示装置３Ａにおいて関連付けて登録する。登録作業は、画像表示装置３Ａの表示部３１に登録操作画面を表示させ、該画面に従ってなされる。ここでは、第一撮影室１Ａの撮影装置２Ａにおいて撮影が行われることとし、患者識別情報Ｋおよびシート識別情報Ｉとは撮影装置２Ａに対応して設けられた画像表示装置３Ａで登録するものとする。患者識別情報Ｋの登録は、キー入力であってもよいし、患者ＩＤカードを読み取ることにより行ってもよい。また、シートの識別情報Ｉの登録は、シートに付されているバーコードを読み取って行う。両者は登録処理手段３５により関連付けられて登録され、登録情報記憶部３６に記憶される。またその情報（Ｋ−Ｉ）はデータ送受信部３４から放射線画像画像読取装置１０に送信される。
【００３５】
蓄積性蛍光体シートを撮影装置２Ａにセットして、放射線画像の撮影を行う。ここで、１患者について複数枚の撮影を行うことが一般的になされる。なお、先の識別情報の登録と画像撮影との順序は逆であってもよく、画像撮影がなされた後に、該画像が記録されたシートの識別情報と患者識別情報とを登録するようにしてもよい。また、患者識別情報と共に部位等の撮影条件も同時に登録してもよい。
【００３６】
放射線画像の撮影後、撮影技師が撮影装置２Ａから蓄積性蛍光体シートを取り出し、放射線画像読取装置１０に装填する。シートが収容されたカセッテごと画像読取装置１０に装填するものであってもよい。ここでは、放射線画像読取装置１０は、複数枚のシートを同時に装填可能なものであり、複数枚の撮影がなされている場合には、その複数枚のシートを読取装置１０に装填する。
【００３７】
放射線画像読取装置１０において、蓄積性蛍光体シートに蓄積記録されている放射線画像が読み取られて画像データＳが取得される。画像表示装置３において、シート識別情報、患者識別情報と同時に読取条件を登録するようにして、この読取条件の下で画像データの取得が実施されるようにしてもよい。放射線画像読取装置１０においては、蓄積性蛍光体シートに付されているバーコードを読み取ることによりシートの識別情報Ｉを認識する。先に画像表示装置３Ａから送信されたシートの識別情報Ｉと患者識別情報Ｋとから、画像読取りを行ったシートから得られた画像データＳと患者識別情報Ｋをリンクさせて保存する。
【００３８】
図２に示すように、放射線画像読取装置１０は、画像データＳ読み取ったシートの識別情報Ｉを登録した画像表示装置３Ａに対して該画像データＳを配送するために、各画像表示装置３Ａ〜３Ｄに対して該識別情報Ｉを登録したか否かの問い合わせｉ１　を行う。
【００３９】
各画像表示装置３Ａ〜３Ｄは、画像読取装置１０からの問い合わせｉ１　を受け、自分が登録したものであるか否かの返答を画像読取装置１０に送信する。
【００４０】
放射線画像読取装置１０は、各画像表示装置３Ａ〜３Ｄからの返答を受け、ここでは、画像表示装置３Ａから自分が登録した旨の、その他の画像表示装置３Ｂ，３Ｃ，３Ｄからは自分は登録していない旨の返答を受けて、識別情報Ｉが画像表示装置３Ａにおいて登録されたものであることを認識し、この表示装置３Ａに対して画像データＳを配送する。なお、画像データの自動配送の方法は、本実施形態の方法に限るものではなく、例えば、特許文献４記載の他の方法を用いてもよい。
【００４１】
画像表示装置３Ａは、そのデータ送受信部３４により放射線画像読取装置１０から画像データＳを受信し、放射線画像記憶部３７に保存すると共に表示部３１Ａに画像データＳの可視画像を表示する。そして、撮影技師がその可視画像（放射線画像）を確認する。
【００４２】
なお、画像確認の結果、正常に画像が得られていると撮影技師が判断した場合、放射線画像読取装置１０に保存している画像データＳと患者識別情報Ｋをセットにして、ネットワーク１５上に配された図示しない画像処理装置に送信させる。なお、正常の画像が得られていない場合には、再度撮影を行う等の処置を行う。
【００４３】
ここでは、放射線画像読取装置１０が、取得した画像データＳと患者識別情報Ｋをセットとして保存し、画像表示装置３の指示に従って、他の装置への出力を行うものとしたが、画像表示装置３において画像データＳと患者識別情報Ｋをリンクさせて保存し、画像確認後、該画像表示装置３から他の装置へ出力するようにしてもよい。
【００４４】
以上が、１患者についての撮影から放射線画像確認までの一連の処理である。この一連の処理において、画像が記録されたシートを放射線画像読取装置１０に装填し、表示部３１で画像を確認ができる状態となるまでには所定の時間を要する。従来は、表示画面制御手段３８は、画像確認用画面と、登録操作画面とを切り替えていずれか一方のみを表示部３１に表示するように制御するものであったが、本発明においては、表示画面制御手段３８は、さらに、画像確認用画面と登録操作画面とを同時に並列的に表示部３１に表示可能に制御するものである。なお、１つの表示部３１上に両画面を同時に表示させるための、両画面の合成は画面合成手段３９において行われる。
【００４５】
具体的には、画像が記録されたシートを放射線画像読取装置１０に装填した後、画像表示装置３は、その表示部３１上に、図４に示すように読取装置１０から受信した画像データＳの画像を示す画像画面である画像確認用画面４１と次の患者の撮影のための識別情報登録を行う登録操作画面４２とを同時に表示させる。画像確認用画面４１は、転送されてくる画像データをリアルタイムに更新表示するものであり、一方、技師は登録操作画面４２に従って、次の撮影のためのシート識別情報および患者識別情報等の情報登録を行うことができる。図４に示した登録操作画面４２では、検査番号、患者ＩＤ番号、漢字患者氏名、カナ漢字氏名、性別、生年月日、技師、シート番号等を入力するものであるが、さらに、登録操作画面の一部として撮影メニュー等の選択画面の表示が行えるように構成されていてもよい。
【００４６】
前述の通り、読取装置１０には、複数枚のシートが装填されているため、複数枚のシートの読取りが順次実行される。読取装置１０において取得された画像データは上述のようにして、画像表示装置４Ａに転送され、該画像表示装置４Ａにおいては、受信した画像データの可視画像を順次画像確認用画面４１に表示する。
【００４７】
図４に示すように、画像確認用画面４１はＡ〜Ｄの４つにタイリングされ、コマＡには常に最新の放射線画像が表示されるようになっている。まず、１枚目の放射線画像がコマＡに表示されるが、２枚目の画像データが受信されるとコマＡに２枚目の放射線画像が表示されて１枚目の読取画像はコマＢに表示される。さらに新たな放射線画像データを受信すると、先に受信された放射線画像はコマＡ−Ｂ−Ｃ−Ｄと順次位置を変更して表示される。
【００４８】
また、読取装置１０で取得された複数の画像データが順次送信されてくる場合、４コマＡ〜Ｄに表示される画像は順次更新されていくため、技師が画像表示装置から一時的に離れた場合、確認できなかった画像が存在する場合が生じる。そこで、処理部３３にスクロール機能を備え、例えば１２画像程度まで遡って表示することができるように構成する。図４に示すように画像確認用画面４１の一部にスクロールキー４６が設けられており、技師は適宜スクロールアップ、スクロールダウンにより、受信済みの画像のうち所望のものを表示させることができる。
【００４９】
このように、表示部３１上に画像確認用画面４１と登録操作画面４２を同時に並列的に表示させることにより、技師は、画像確認用画面４１において撮影および読取り済みの放射線画像を確認する作業と、登録操作画面４２において次の撮影のための登録作業とを並行して行うことができるため、作業効率が向上する。
【００５０】
次に、図１および図２に示したＣＲシステムにおいて用いられる、本発明の第２の実施形態の画像表示装置について説明する。
【００５１】
図５は、第２の実施形態の画像表示装置の要部構成を示すブロック図である。ここでは、第１の実施形態と異なる点についてのみ説明し、同一の構成要素については詳細な説明を省略する。
【００５２】
図５に示すように、本実施形態の画像表示装置３０は、放射線画像調整処理手段４０を備え、表示画面制御手段３８により、所望の放射線画像の画像調整を行うための画像調整操作画面を表示部３１に表示させることができる点で第１の実施形態の画像表示装置３と異なる。
【００５３】
画像表示装置３０は、上記実施形態の場合と同様に、図４に示した画像確認用画面４１および登録操作画面４２を同時に並列的に表示部３１に表示させるものである。本画像表示装置３０においては、さらに、画像確認用画面４１で表示されている所望の画像を指定する操作を行うことにより、画像調整操作画面を表示するよう構成されている。具体的には、技師が、図４中の画像確認用画面４１のコマＡ〜Ｄに表示されている画像のいずれかに気がかりな点を発見した場合、例えば、コマＡの画像に気がかりな点を発見した場合、技師は入力手段の１つであるマウスのポインタでコマＡの画像５０を指定してクリックすることにより、図５に示すように、登録操作画面４１に代えて、画像５０を調整するための画像調整操作画面４３が表示部３１に表示され、画像５０が画像確認用画面４１の領域に拡大表示される。この際、画像確認用画面４１と画像調整操作画面４３を同時に表示させるため両画像を合成する処理も画面合成手段３９により行われる。
【００５４】
技師は、拡大表示された放射線画像Ａを確認すると共に、必要に応じて画像調整操作画面４３において放射線画像の調整を行う。画像調整操作画面４３には、放射線画像Ａの被写体の患者名、患者ＩＤ番号等の被写体識別情報と、コントラスト、濃度、画像反転、画像回転等の調整を行うためのアイコンが表示されており、操作者による入力部３２からの指示にしたがって画像調整処理手段４０において処理が実行される。なお、画像調整操作画面４３中の「Ｃａｎｃｅｌ」、もしくは「ＯＫ」のアイコンを押下することにより、図４に示す画面表示に戻る。
【００５５】
このように、本実施形態の画像表示装置３０によれば、気なる画像を発見した場合に、その場で、画像調整操作画面４３を表示させて調整を行うことができるのでユーザである技師にとっての利便性をさらに向上させることができる。
【００５６】
なお、画像Ａを拡大表示することなく、該画像Ａについての調整画面であることが明らかになるように画像Ａの縁の色を反転させる等してもよいし、登録操作画面を表示したままとし、画像確認用画面の一部に画像調整画面を表示するようにしてもよい。
【００５７】
さらに、画像表示装置の画面表示の他の例を図７および図８に示す。
【００５８】
図７は、画像確認用画面４１に表示される各放射線画像に、その画像の被写体の患者ＩＤ番号および該画像が読取装置１０において読み取られた日時を付加情報４７としてオーバーレイ表示させたものである。付加情報４５としては、患者ＩＤ番号のみならず、患者氏名等の他の患者識別情報の一つを、もしくは複数の識別情報を組合せて表示してもよい。さらに、画像撮影条件、シートからの画像読取条件等を表示してもよい。また、読取日時ではなく、読取り時刻のみを表示してもよい。図７に示す画像確認用画面４１において技師は、例えば、Ａコマに表示されている放射線画像が、ＩＤ番号２３２４４の患者のものであり、８月２７日の１１：３０に放射線画像読取装置において読み取られたものであることを認識することができる。読取時刻の表示は、技師が読取装置１０にセットしたはずのシートからの画像が確実に画像表示装置に送られてきているか否か等について確認するために有用である。
【００５９】
図８は、画像確認用画面４１のタイリング数を変更したものであり、図４中のＤコマをさらに４分割し、計７枚の画像を一度に表示可能としたものである。複数の画像データが順次送信されている場合、常にＡコマに最新の読取画像が表示されるように先に表示されていた画像は、Ａ−Ｂ−Ｃ−Ｄ−Ｅ−Ｆ−Ｇへの順次移動して表示される。特に、同一患者について５〜７枚の画像撮影が行われた場合、同一患者の画像を一望することができ有用である。
【００６０】
上記各実施形態においては、画像表示装置は表示部を１つだけ備え、この１つの表示部が、登録操作画面と画像確認用画面を同時に表示するものであるとしたが、画像表示装置に２つのモニタを備え、一方を登録操作画面表示専用とし、他方を画像確認用画面表示専用とするようにしてもよい。
【００６１】
なお、上記実施の形態においては、被写体の画像を記録するシートの一例として蓄積性蛍光体シートを挙げたが、本発明は蓄積性蛍光体シートに限るものではなく、画像が記録され得るいかなるシートを用いてもよい。
【図面の簡単な説明】
【図１】ＣＲシステムの各装置の配置を説明する図
【図２】図１に示したＣＲシステムにおけるる画像データ配送方法を説明する図
【図３】本発明の第１の実施形態の画像表示装置の要部構成を示すブロック図
【図４】本発明の第１の実施形態の画像表示装置の画面表示の一例を示す図
【図５】本発明の第２の実施形態の画像表示装置の要部構成を示すブロック図
【図６】本発明の第２の実施形態の画像表示装置の画面表示の一例を示す図
【図７】画像表示装置の画像表示の他の例を示す図
【図８】画像表示装置の画像表示の他の例を示す図
【符号の説明】
１Ａ〜１Ｄ　　撮影室
２Ａ〜２Ｄ　　撮影装置
３（３Ａ〜３Ｄ）　　画像表示装置
１０　　画像読取装置
１５　　ネットワーク
３１（３１Ａ〜３１Ｄ）　　表示部
３２　　入力部
３３　　処理部
３４　　データ送受信部
３５　　登録処理手段
３６　　登録情報記憶部
３７　　放射線画像記憶部
３８　　表示画面制御手段
３９　　画面合成手段
４０　　放射線画像調整処理手段
４１　　画像画面（画像確認用画面）
４２　　登録操作画面
４３　　画像調整操作画面
【図１】
2004110516.tif 000003
【図２】
2004110516.tif 000004
【図３】
2004110516.tif 000005
【図４】
2004110516.tif 000006
【図５】
2004110516.tif 000007
【図６】
2004110516.tif 000008
【図７】
2004110516.tif 000009
【図８】
2004110516.tif 000010